(57)【要約】      （修正有）【課題】製造の困難を伴うことなく、クッション材の一部を張材の外周縁部と基板の裏面側の外側端縁の間に容易に介在させることのできる椅子用荷重支持体のクッション材、及び、椅子用荷重支持体を提供する。【解決手段】裏面側に突出して、基板１５の側部外面と基板１５の裏面側の外側端縁とを覆う覆い壁２３を設ける。覆い壁２３は、基板１５の側部外面に隣接して配置される覆い壁本体部２４と、覆い壁本体部２４から基板１５の外側縁部よりも裏面側に突出する延長部２５と、を有する。覆い壁２３の基板の側部外面に対向する内側面には、覆い壁本体部２４の一部と延長部２５とに跨る肉抜き部２６を設ける。【選択図】図７
2015146949.tif 000002
【特許請求の範囲】
【請求項１】
骨格部を成す基板の表面側に配置され、外側面を張材によって覆われた状態で当該張材の外周縁部が前記基板の裏面側で内側に巻き込まれて、当該張材とともに前記基板に固定される椅子用荷重支持体のクッション材であって、
裏面側に突出して、前記基板の側部外面と前記基板の裏面側の外側端縁とを覆う覆い壁が設けられ、
前記覆い壁は、前記基板の側部外面に隣接して配置される覆い壁本体部と、当該覆い壁本体部から前記基板の前記外側端縁よりも裏面側に突出する延長部と、を有し、
前記覆い壁の前記基板の側部外面に対向する内側面には、前記覆い壁本体部の一部と前記延長部とに跨る肉抜き部が設けられていることを特徴とする椅子用荷重支持体のクッション材。
【請求項２】
前記肉抜き部は、前記覆い壁本体部の一部から前記延長部の延出方向全域に亘って連続して形成されていることを特徴とする請求項１に記載の椅子用荷重支持体のクッション材。
【請求項３】
前記覆い壁における前記基板の側部外面と略直交する方向の前記肉抜き部の深さ寸法は、前記覆い壁における前記肉抜き部に隣接する部分の前記基板の側部外面と略直交する方向の肉厚寸法よりも小さく設定されていることを特徴とする請求項１または２に記載の椅子用荷重支持体のクッション材。
【請求項４】
前記肉抜き部の前記覆い壁本体部側の端末部は、前記基板の側部外面と鋭角を成すように面取りされていることを特徴とする請求項１〜３のいずれか１項に記載の椅子用荷重支持体のクッション材。
【請求項５】
骨格部を成す基板と、
前記基板の表面側に配置されるクッション材と、
前記クッション材の外側面を覆う張材と、を備え、
前記張材の外周縁部が前記基板の裏面側で内側に巻き込まれて前記基板に固定される椅子用荷重支持体において、
請求項１〜４のいずれか１項に記載のクッション材を用いることを特徴とする椅子用荷重支持体。
【発明の詳細な説明】
【技術分野】
【０００１】
この発明は、座体や背凭れ部等の椅子用荷重支持体のクッション材、及び、そのクッション材を用いる椅子用荷重支持体に関するものである。
【背景技術】
【０００２】
椅子の座体や背凭れ部等の荷重支持体として、骨格部を成す基板の上部にウレタン等のクッション材が配置され、クッション材の外側面がシート状の張材によって覆われたものがある。この種の荷重支持体の多くは、クッション材の外周縁部に裏面側に向かって突出する覆い壁が突設され、その覆い壁が基板の側部外面を覆っている。また、張材は、クッション材の外側面を覆った状態において、外周縁部が基板の裏面側で内側に巻き込まれ、その状態で基板に固定されている。
【０００３】
このような荷重支持体においては、張材の外周縁部が基板の裏面側で内側に巻き込まれることから、張材の外周縁部の一部が基板の裏面側の外側端縁に強く押し当てられることになる。このため、この押し当てに起因する張材の劣化を防止するために、クッション材の覆い壁の先端部を延長し、その延長部によって基板の裏面側の外側端縁を覆うようにしたものが案出されている(例えば、特許文献１参照)。
【０００４】
特許文献１に記載のクッション材は、覆い壁の先端部に薄肉の延長部が延設されている。このクッション材の場合、張材の外周縁部が基板の裏面側に巻き込まれて固定されるときに、薄肉の延長部が張材の外周縁部によって内側方向に曲げられ、延長部が基板の裏面側の外側端縁に押し付けられる。
【先行技術文献】
【特許文献】
【０００５】
【特許文献１】特許第５２３０９２９号公報
【発明の概要】
【発明が解決しようとする課題】
【０００６】
上記従来のクッション材は、張材の外周縁部が基板の裏面側で内側に巻き込まれて固定されるときに、張材の外周縁部と基板の裏面側の外側端縁との間に覆い壁の延長部が介在されることにより、張材の外周縁部の劣化が未然に防止される。しかし、延長部はクッション材の覆い壁の端部に薄肉に形成されるため、クッション材の型成形時に、延長部の造形領域に発泡性の溶融樹脂が集中し易くなる。このため、延長部を必要以上に硬化させないための製造時の設定が難しい。そして、このとき延長部が必要以上に硬化した場合には、延長部を基板の裏面側の外側端縁に柔軟に追従させることが難しくなり、外観不良を招くことが懸念される。
【０００７】
そこでこの発明は、製造の困難を伴うことなく、クッション材の一部を張材の外周縁部と基板の裏面側の外側端縁の間に容易に介在させることのできる椅子用荷重支持体のクッション材、及び、椅子用荷重支持体を提供しようとするものである。
【課題を解決するための手段】
【０００８】
この発明に係る椅子用荷重支持体のクッション材は、骨格部を成す基板の表面側に配置され、外側面を張材によって覆われた状態で当該張材の外周縁部が前記基板の裏面側で内側に巻き込まれて、当該張材とともに前記基板に固定される椅子用荷重支持体のクッション材であって、裏面側に突出して、前記基板の側部外面と前記基板の裏面側の外側端縁とを覆う覆い壁が設けられ、前記覆い壁は、前記基板の側部外面に隣接して配置される覆い壁本体部と、当該覆い壁本体部から前記基板の前記外側端縁よりも裏面側に突出する延長部と、を有し、前記覆い壁の前記基板の側部外面に対向する内側面には、前記覆い壁本体部の一部と前記延長部とに跨る肉抜き部が設けられていることを特徴とするものである。
これにより、クッション材を基板に取り付けるときに、クッション材の覆い壁のうちの基板の側部外面との接触端が、肉抜き部が存在する分だけ基板の裏面から表面側に離間した位置となる。このため、覆い壁を包み込んだ状態で張材の外周縁部が基板の裏面側で内側に巻き込まれると、覆い壁の延長部は、基板の裏面から離間した位置にある接触端を起点として容易に変形する。即ち、延長部が基板の裏面側の外側端縁を覆うように変形する際には、基板の裏面から離間した位置にある接触端を起点として変形を開始するため、延出部の肉厚を極端に薄くしなくても延長部を基板の裏面側の外側端縁に柔軟に追従させることができる。
【０００９】
前記肉抜き部は、前記覆い壁本体部の一部から前記延長部の延出方向全域に亘って連続して形成されるようにしても良い。
この場合、肉抜き部が複雑な凹形状にならないため、クッション材を型成形するときに、覆い壁を成形型から容易に取り出すことが可能になる。
【００１０】
前記覆い壁における前記基板の側部外面と略直交する方向の前記肉抜き部の深さ寸法は、前記覆い壁における前記肉抜き部に隣接する部分の前記基板の側部外面と略直交する方向の肉厚寸法よりも小さく設定されることが望ましい。
この場合、覆い壁における肉抜き部に隣接する部分の前記肉厚寸法が、肉抜き部の前記深さ寸法以上に大きいため、覆い壁の肉厚が極端に薄くなる部分がなくなる。このため、型成形時に溶融樹脂が集中すること等による成形不良を未然に防止することができる。また、肉抜き部の前記深さ寸法が、肉抜き部に隣接する部分の前記肉厚寸法よりも小さいため、張材の外周縁部の巻き込みによって覆い壁の延長部が内側に曲げられるときに、延長部の内側面を基板の裏面側の外側端縁に早期に当接させることができる。
【００１１】
前記肉抜き部の前記覆い壁本体部側の端末部は、前記基板の側部外面と鋭角を成すように面取りされるようにしても良い。
この場合、肉抜き部の端末部の面取りにより、覆い壁の肉厚をさして薄くすることなく、覆い壁における基板の側部外面との接触端を、基板の裏面から表面側により離間させることができる。
【００１２】
この発明に係る椅子用荷重支持体は、骨格部を成す基板と、前記基板の表面側に配置されるクッション材と、前記クッション材の外側面を覆う張材と、を備え、前記張材の外周縁部が前記基板の裏面側で内側に巻き込まれて前記基板に固定される椅子用荷重支持体において、上記いずれかのクッション材を用いることを特徴とするものである。
【発明の効果】
【００１３】
この発明によれば、クッション材の覆い壁のうちの基板の側部外面との接触端が、肉抜き部が存在する分だけ基板の裏面から表面側に離間した位置となるため、張材の外周縁部が基板の裏面側で内側に巻き込まれるときに、覆い壁の延長部を、基板の裏面から離間した位置にある接触端を起点として容易に変形させることができる。したがって、この発明においては、覆い壁の延出部を極端に薄肉にすることなく、延長部を基板の裏面側の外側端縁に柔軟に追従させることができることから、製造の困難を伴うことなく、クッション材の一部を張材の外周縁部と基板の裏面側の外側端縁の間に容易に介在させることができる。
また、この発明によれば、覆い壁の内側面側に肉抜き部が設けられているため、肉抜き部による段差が張材を通して外部に露出することがない。このため、高い外観品質を得ることができる。
【図面の簡単な説明】
【００１４】
【図１】この発明の一実施形態の椅子の側面図である。
【図２】この発明の一実施形態の椅子の背面図である。
【図３】この発明の一実施形態の椅子用荷重支持体の図１のＩＩＩ−ＩＩＩ断面に対応する断面図である。
【図４】この発明の一実施形態のクッション材の部分断面斜視図である。
【図５】この発明の一実施形態の椅子用荷重支持体の部分断面斜視図である。
【図６】この発明の一実施形態の椅子用荷重支持体の図３のＶＩ部に対応する拡大図である。
【図７】この発明の一実施形態の椅子用荷重支持体の図３のＶＩ部に対応する拡大図である。
【図８】この発明の他の実施形態の椅子用荷重支持体の図３のＶＩ部に対応する拡大図である。
【発明を実施するための形態】
【００１５】
以下、この発明の一実施形態を図面に基づいて説明する。
なお、以下の説明においては、椅子に正規姿勢で着座した人の正面が向く図中矢印ＦＲの指す向きを「前」と呼び、それと逆側の向きを「後」と呼ぶものとする。また、「上」，「下」と「左」，「右」については、椅子に正規姿勢で着座した人の上方の図中矢印ＵＰの指す向きを「上」、それと逆側の向きを「下」と呼び、椅子に正規姿勢で着座した人の左側の図中矢印ＬＨの指す向きを「左」、それと逆側の向きを「右」と呼ぶものとする。
【００１６】
図１，図２は、この実施形態の椅子１の全体構成を示す側面図と背面図である。
これらの図に示すように、この実施形態の椅子１は、フロアＦ上に載置される脚部２と、脚部２の上端に設置されるボックス状の支基３と、座フレーム５を介して支基３に支持される座体４と、支基３から後部上方側に延出して座体４に着座した着座者の背中を支持する背凭れ部６と、を備えている。この実施形態においては、座体４が椅子用荷重支持体を構成している。
【００１７】
脚部２は、キャスタ７ａ付きの多岐脚７と、多岐脚７の中央部より起立し昇降機構であるガススプリングを内蔵する脚柱８と、を備え、脚柱８の上端部に支基３が水平方向に回転可能に取り付けられている。支基３には、脚柱８の昇降調整機構と背凭れ部６の傾動調整機構が内蔵されている。背凭れ部６は、側面視略Ｌ字状の一対の背凭れ支持フレーム９と、背凭れ支持フレーム９の後上部に取り付けられ座体４に着座した着座者の背部を直接支持する背凭れ本体１０と、を備え、背凭れ支持フレーム９の前端部が支基３に揺動可能に軸支されている。なお、図中符号１２は、支基３上における背凭れ支持フレーム９の枢支軸である。また、支基３の後端部と背凭れ支持フレーム９の中間部との間には、背凭れ本体１０を起立方向に付勢するためのガススプリング２０が揺動可能に連結されている。
【００１８】
背凭れ部６の背凭れ本体１０は、骨格部を成す背板１１と、背板１１の前面側と裏面の一部にかかる部分を被覆する張材１３と、背板１１の裏面側（後面側）を覆うカバー部材１４と、を備えている。なお、張材１３の裏面には、ウレタン等から成る図示しないクッション材が融着されている。
【００１９】
背板１１の裏面側を覆うカバー部材１４は、背板１１の裏面側に凹凸嵌合等の適宜手段によって固定される。この実施形態の場合、座体４の後方側から上方に立ち上がる背凭れ支持フレーム９の上方延出部９ａは、カバー部材１４の前面側に締結固定されている。支持フレーム９の上方延出部９ａの前方側は背板１１によって覆われている。
【００２０】
図３は、図１のＩＩＩ−ＩＩＩ断面に対応する座体４の断面を示す図である。なお、以下で説明する座体４については、特別に断らない限り、着座者の着座する側の面を表面と呼び、着座者の着座する側と逆側の面を裏面と呼ぶものとする。
座体４は、骨格部を成す基板である座板１５と、座板１５の表面側に配置されるウレタン等から成るクッション材５０と、そのクッション材５０の外側面と座板１５の外周縁部と裏面の一部にかかる部位を覆うシート状の張材１６と、を備えている。
【００２１】
図４は、クッション材５０を裏面側から見た部分断面斜視図であり、図５は、クッション材５０を組み付けた座板１５を裏面側から見た部分断面斜視図である。
座板１５は、着座者の荷重を支持し得る強度を有する合成樹脂によって形成され、上面視では四隅が丸みを帯びた略長方形状とされている。座板１５の表面と裏面には複数の補強リブ（符号省略）が突設され、これらの補強リブによって表裏方向（曲げ方向）や捩れ方向の剛性が高められている。また、座板１５の外周縁部の裏面には、周方向に沿う凹溝１９が形成され、クッション材５０と座板１５を覆った張材１６の外周縁部がこの凹溝１９内に支持されるようになっている。凹溝１９は、座板１５の表面側から裏面方向に突出して座板１５の外側端面を成す外側壁１９ａと、座板１５の内側に外側壁１９ａと略平行に設けられた内側壁１９ｂと、外側壁１９ａと内側壁１９ｂを接続する底部壁１９ｃと、を備えている。外側壁１９ａと内側壁１９ｂの凹溝１９内に臨む適宜ヶ所には、張材１６の外周縁部の変位を規制するための規制爪２１ａ，２１ｂが突設されている。
【００２２】
張材１６の外周縁部には、図３に示すように、挿通孔部（符号省略）が設けられ、その挿通孔部に締付紐条１８が挿通されている。締付紐条１８は、張材１６がクッション材５０の外側面から座板１５の外周縁部にかけてを包み込んだ状態において、張材１６の外周縁部を座板１５の裏面側で締め込み、その状態で両端部が所定の張力で結束される。このとき、締付紐条１８と張材１６の外周縁部とは座板１５の凹溝１９内に挿入され、規制爪２１ａ，２１ｂによって変位を規制される。
【００２３】
クッション材５０は、座板１５の表面側に配置されるクッション本体部２２と、クッション本体部２２の外周縁部から裏面側に突出して座板１５の外側壁１９ａの外側を覆う覆い壁２３と、を備えている。クッション材５０は、クッション本体部２２を座板１５の表面側に被せ、覆い壁２３によって座板１５の側部外面（外側壁１９ａの外側面）を覆うようにして座板１５に組み付けられる。なお、座板１５の表面側の一部には、位置決め用の突条部４９が突設され、クッション材５０の裏面のうちの突条部４９に対応する位置には、突条部４９と嵌合する凹状係止部５１が設けられている。
【００２４】
図６は、相互に組み付けられた座板１５とクッション材５０の拡大断面図である。
同図に示すように、クッション材５０の覆い壁２３は、座板１５の外側壁１９ａの外面（側部外面）に隣接して配置される覆い壁本体部２４と、覆い壁本体部２４から座板１５の外側壁１９ａの延出端（外側端縁）よりも裏面側に突出する延長部２５と、を有している。ここで、覆い壁本体部２４は、覆い壁２３のうちの外側壁１９ａの延出端と同一延出長さ部分までの領域のことを言い、延長部２５は、覆い壁２３のうちの外側壁１９ａの延出端よりも突出する領域のことを言う。
【００２５】
覆い壁２３のうちの、座板１５の外側壁１９ａの外面に対向する内側面２３ａには、覆い壁本体部２４の一部から延長部２５の延出方向の全域に跨る肉抜き部２６が設けられている。この肉抜き部２６は、覆い壁本体部２４に位置される領域を除き、座板１５の側部外面と略直交する方向の深さがほぼ一定とされている。覆い壁本体部２４に位置される領域の肉抜き部２６は、座板１５の側部外面と略直交する方向の深さが急激に狭められ、その端末部は座板１５の側部外面と鋭角を成すように面取りされた形成とされている。なお、図５中、符号４８は、肉抜き部２６の端末の面取り形状部である。
【００２６】
ここで、クッション材５０が座板１５に被着される際には、図６に示すように、覆い壁２３の内側面２３ａのうちの、覆い壁本体部２４の肉抜き部２６を除く領域が座板１５の側部外面に当接する。このとき、肉抜き部２６の端末部である面取り形状部４８の端部が座板１５の側部外面との接触端Ｐとなる。この接触端Ｐは、座板１５の外側壁１９ａの延出端（座板１５の裏面側の外側端縁）から座板１５の表面方向に設定距離離間している。
【００２７】
また、この実施形態の場合、覆い壁２３における座板１５の側部外面と略直交する方向の肉抜き部２６の深さ寸法Ｔ２は、覆い壁２３における肉抜き部２６に隣接する部分の座板１５の側部外面と略直交する方向の肉厚寸法Ｔ１よりも小さく設定されている。
【００２８】
図７は、座体４の組付けの様子を（Ａ），（Ｂ），（Ｃ）で順次示す図である。以下、図７を参照して座体４の組付けについて説明する。
最初に、図７（Ａ）に示すように、座板１５の表面と外周縁部にクッション材５０を被着し、クッション材５０の覆い壁２３を座板１５の側部外面の外側に配置する。このとき、覆い壁２３の内側面２３ａが座板１５の外側壁１９ａの外面に接触するが、その接触端Ｐは、座板１５の外側壁１９ａの延出端から表面側に離間した位置となる。
次に、図７（Ｂ）に示すように、クッション材５０の外側面にシート状の張材１６を被せ、クッション材５０を包み込んだ状態において、張材１６の外周縁部を座板１５の裏面側で内側に巻きこむ。そして、この状態から張材１６の外周縁部の締付紐条１８を緊縛して、図７（Ｃ）に示すように、張材１６の外周縁部と締付紐条１８を座板１５の裏面の凹溝１９内に配置する。
【００２９】
ところで、上述のようにクッション材５０を包み込んだ状態で、張材１６の外周縁部を座板１５の裏面側で締付紐条１８によって締め込むと、クッション材５０の覆い壁２３は、図７（Ｂ）に示すように、座板１５の外側壁１９ａの延出端から離間した接触端Ｐを起点として、延長部２５が内側方向に次第に曲げられるようになる。このとき、延長部２５は、張材１６の外周縁部の締め込み力を受けて座板１５の凹溝１９内方向に向かって曲げ変形することになるが、このときの曲げ基点が外側壁１９ａの延出端から表面側に離間した位置となっているために比較的柔軟に曲げ変形を開始する。そして、張材１６の外周縁部がさらに締め込まれると、延出部２５の内面が外側壁１９ａの端部に密接する。
【００３０】
この実施形態の座体４で採用するクッション材５０は、覆い壁２３が、座板１５の側部外面に隣接して配置される覆い壁本体部２４と、覆い壁本体部２４から突出する延長部２５と、を有し、覆い壁２３の内側面２３ａに、覆い壁本体部２４と延長部２５とに跨る肉抜き部２６が設けられているため、座板１５の側部外面との接触端Ｐが、肉抜き部２６が存在する分だけ座板１５の裏面から表面側に離間した位置となる。このため、座体４の組付け時に、張材１６の外周縁部が座板１５の裏面側で内側に引き込まれたときには、覆い壁２３の延長部２５を、座板１５の裏面から離間した位置にある接触端Ｐを起点として容易に変形させることができる。したがって、座体４の製造時には、クッション材５０の一部を張材１６の外周縁部と座板１５の外側壁１９ａの端部との間に容易に介在させることができる。
【００３１】
そして、このクッション材５０の構造は、覆い壁２３の一部を極端に薄くする必要がないため、クッション材５０の型成形時に溶融樹脂が薄肉部分に集中して硬化するおそれがない。このため、このクッション材５０の構造を採用した場合には、製造の困難を伴うことなく安定した品質の製品を得ることができる。
【００３２】
また、この実施形態のクッション材５０においては、覆い壁２３の内側面２３ａ側に肉抜き部２６が設けられているため、肉抜き部２６による段差が張材１６を通して外部に現れることがない。このため、座体４を裏面側から見た場合ときの外観が良好なものとなる。
【００３３】
特に、この実施形態のクッション材５０においては、肉抜き部２６が覆い壁本体部２４の一部から延長部２５の延出方向の全域に亘って連続して形成されているため、肉抜き部２６による凹形状が比較的単純な段差状の凹形状になる。このため、クッション材５０の型成形時には、クッション材５０の覆い壁２３を成形型から容易に取り出すことができる。
【００３４】
また、この実施形態のクッション材５０の場合、覆い壁２３の肉抜き部２６の深さ寸法Ｔ２が、肉抜き部２６に隣接する部分の肉厚寸法Ｔ１よりも小さく設定されているため、張材１６の外周縁部によって覆い壁２３の延長部２５が内側に曲げられるときに、延長部２５の内側面を座板１５の外側壁１９ａの端部に早期に当接させることができる。このため、延長部２５を座板１５の外側壁１９ａの端部に安定して当接させることができる。
さらに、このクッション材５０の場合、肉抜き部２６に隣接する部分の肉厚寸法Ｔ１が肉抜き部２６の深さ寸法Ｔ２以上に大きいことから、覆い壁２３の肉厚が極端に薄くなる部分がない。したがって、クッション材５０の型成形時には、肉厚が極端に薄い部分に溶融樹脂が集中することによる成形不良をより確実に防止することができる。
【００３５】
また、この実施形態のクッション材５０においては、覆い壁２３の肉抜き部２６の端末に、座板１５の側部外面と鋭角を成す面取り形状部４８が設けられているため、覆い壁２３の肉厚をさして薄くすることなく、覆い壁２３における座板１５の側部外面との接触端Ｐを、座板１５の裏面から表面側により離間させることができる。また、面取り形状部４８によって接触点Ｐの位置を座板１５のより表面側に配置できるようにしているため、クッション材５０の型成形時における型抜き性も良好となる。
【００３６】
図８は、第２の実施形態の座体の一部の断面を示す第１の実施形態の図７（Ａ）に対応する図である。以下、第２の実施形態について説明するが、第１の実施形態と同一部分には同一符号を付して重複する説明を省略するものとする。
この第２の実施形態の座体は、座板１５や張材（図８では省略）の構造は第１の実施形態と同様であるが、クッション材１５０の構造が第１の実施形態のものと若干異なっている。この実施形態のクッション材１５０は、第１の実施形態と同様に覆い壁２３の内側面２３ａの肉抜き部１２６が設けられているが、この肉抜き部１２６は、覆い壁２３の覆い壁本体部２４の一部から延長部２５の延出方向の全域に亘って連続して形成されているのではなく、覆い壁本体部２４の一部とそれに隣接する延長部２５の一部に跨って略円弧状に形成されている。この実施形態の場合も第１の実施形態とほぼ同様の効果を得ることができる。
【００３７】
なお、この発明は上記の実施形態に限定されるものではなく、その要旨を逸脱しない範囲で種々の設計変更が可能である。例えば、上記の実施形態は座体４が荷重支持体を構成しているが、荷重支持体は座体に限らず、背凭れ部であっても良い。
また、上記の実施形態においては、張材１６の外周縁部を締付紐条１８によって基板（座板１５）の裏面側で締め込んで基板に固定しているが、張材１６の外周縁部は締付紐条以外１８の係止手段によって基板の裏面側に固定するようにしても良い。
【符号の説明】
【００３８】
４  座体（荷重支持体）
１５  座板（基板）
１６  張材
２３  覆い壁
２４  覆い壁本体部
２５  延長部
２６，１２６  肉抜き部
５０，１５０  クッション材
【図１】
2015146949.tif 000003
【図２】
2015146949.tif 000004
【図３】
2015146949.tif 000005
【図４】
2015146949.tif 000006
【図５】
2015146949.tif 000007
【図６】
2015146949.tif 000008
【図７】
2015146949.tif 000009
【図８】
2015146949.tif 000010